(57)【要約】本発明は、第１及び第２表面をもつ支持体と、１つ又はそれ以上の組成物からなる境界層と、局所適用剤とを含む複合材料に関する。境界層は支持体の第１表面に付加され、局所適用剤は支持体とは反対側の境界層の表面に付加される。局所適用剤の移転効率は、境界層から局所適用剤を分離するのに要する移転力が、境界層から支持体を分離するのに要する移転力より低いことによって高められる。
2004508142.tif 000002
【特許請求の範囲】
【請求項１】
第１表面と第２表面をもつ支持体と、
前記支持体の前記第１表面上の境界層と、
前記支持体とは反対側の前記境界層の表面上の局所適用剤と、
を備え、前記境界層から前記局所適用剤を分離するのに必要とされる移転力が、前記境界層から前記支持体を分離するのに必要とされる移転力より小さく、これにより前記局所適用剤の移転効率が高められることを特徴とする複合材料。
【請求項２】
前記境界層と前記局所適用剤が互いに対して低い親和性をもつことを特徴とする請求項１に記載の複合材料。
【請求項３】
前記境界層の融解温度が前記支持体より低く、前記境界層は少なくとも約２５℃の温度に曝されたときに液化し、これにより前記局所適用剤を皮膚に移転するのに必要とされる移転力が減少されることを特徴とする請求項１に記載の皮膚にあてるための複合材料。
【請求項４】
前記境界層が、前記支持体に該支持体の融解加工中に適用されるか、又は融解加工後に局所的に適用されることを特徴とする請求項１に記載の複合材料。
【請求項５】
前記支持体が、該支持体の湿潤性を増進させるために界面活性剤で処理されることを特徴とする請求項１に記載の複合材料。
【請求項６】
前記境界層が、１つ又はそれ以上の組成物からなることを特徴する請求項１に記載の複合材料。
【請求項７】
前記境界層がさらに、１つ又はそれ以上の組成物の多数の層からなることを特徴とする請求項６に記載の複合材料。
【請求項８】
前記組成物が、互いに対して低い親和性をもち、かつ低い移転力で互いに分離することができる境界層を構成することを特徴とする請求項７に記載の複合材料。
【請求項９】
前記局所適用剤が、ローション又は軟膏、微粒子又はこれらの組合せであることを特徴とする請求項１に記載の皮膚にあてるための複合材料。
【請求項１０】
前記ローション又は軟膏が、天然脂肪及び天然油脂並びに天然蝋、合成脂肪及び合成油脂並びに合成蝋、脂肪酸、脂肪酸エステル、ポリヒドロキシ脂肪酸エステル、ポリヒドロキシ脂肪酸アミド、脂肪アルコール、脂肪アルコールエトキシレート、精油、ポリマー、ステロール及びステロール誘導体、湿潤剤、及びこれらの組合せ又は配合物からなる群から選択されたことを特徴とする請求項９に記載の複合材料。
【請求項１１】
前記ローション又は軟膏がペトロラタム基剤であることを特徴とする請求項９に記載の複合材料。
【請求項１２】
前記ローション又は軟膏が、ペトロラタム、地蝋、及びエチレン／ビニルアセテート共重合体の配合物又は組合せを含むことを特徴とする請求項９に記載の複合材料。
【請求項１３】
前記ローション又は軟膏が、ペトロラタム、地蝋、ヒマワリ種子油、大豆ステロール、エチレン／ビニルアセテート共重合体、ジメチコン、及びアルキルジメチコン蝋の配合物又は組合せを含むことを特徴とする請求項９に記載の複合材料。
【請求項１４】
前記ローション又は軟膏が、ペトロラタム、地蝋、ヒマワリ種子油、大豆ステロール、エチレン／ビニルアセテート共重合体、ジメチコン、アルキルジメチコン蝋、コロイド状シリカ、及びモンモリロナイト粘土の配合物又は組合せを含むことを特徴とする請求項９に記載の複合材料。
【請求項１５】
前記支持体が、織布、編まれた布、不織布、発泡体、フィルム状の材料及び紙材料から選択されることを特徴とする請求項１に記載の複合材料。
【請求項１６】
前記支持体が不織ウェブからなることを特徴とする請求項１５に記載の複合材料。
【請求項１７】
前記不織ウェブが、スパンボンドウェブ、メルトブローウェブ、コフォームウェブ又はボンデッドカーデッドウェブからなることを特徴とする請求項１６に記載の複合材料。
【請求項１８】
前記支持体が多層ラミネートからなることを特徴とする請求項１６に記載の複合材料。
【請求項１９】
前記境界層が前記支持体の一部にのみ付加されることを特徴とする請求項１に記載の複合材料。
【請求項２０】
前記局所適用剤が前記露出された境界層の一部にのみ付加されることを特徴とする請求項１に記載の複合材料。
【請求項２１】
前記局所適用剤が前記境界層にストリップの形態で付加されることを特徴とする請求項２０に記載の複合材料。
【請求項２２】
請求項１に記載の複合材料からなることを特徴とするパーソナルケア製品。
【請求項２３】
前記パーソナルケア製品が、おむつ、トレーニングパンツ、吸収性下着、成人失禁用製品、衛生用拭取り材、湿潤拭取り材、婦人生理用品、創傷被覆材及び包帯から選択されることを特徴とする請求項２２に記載のパーソナルケア製品。
【請求項２４】
支持体から表面に局所適用剤を移転することなどに用いられるようにされた複合材料を形成する方法であって、
支持体を用意すること、
前記支持体に境界層を付加すること、
前記境界層に局所適用剤を付加すること、
を含む方法。
【請求項２５】
前記方法がさらに、前記境界層を、前記支持体からの前記局所適用剤の分離を容易にし、かつ前記表面への前記局所適用剤の移転を促進させる少なくとも１つの状態にさらすことを含むことを特徴とする請求項２４に記載の方法。
【請求項２６】
前記境界層を、前記支持体からの前記局所適用剤の分離を容易にし、かつ前記表面への前記局所適用剤の移転を促進させる少なくとも１つの状態にさらすステップが、前記境界層を、前記境界層の全体又は一部から前記局所適用剤を分離させるのに十分な移転力にさらすことを含むことを特徴とする請求項２５に記載の方法。
【請求項２７】
前記境界層を、前記支持体からの前記局所適用剤の分離を容易にし、かつ前記表面への前記局所適用剤の移転を促進させる少なくとも１つの状態にさらすステップが、前記境界層を該境界層が液化するのに十分な温度にさらし、これにより前記局所適用剤が前記表面に移転できるようにすることを含むことを特徴とする請求項２５に記載の方法。
【請求項２８】
前記境界層が、前記支持体に該支持体の融解加工中に付加されるか、又は融解加工後に局所的に付加されることを特徴とする請求項２４に記載の複合材料。
【請求項２９】
前記境界層を液化させるのに充分な前記温度が、少なくとも約２５℃であることを特徴とする請求項２７に記載の方法。
【請求項３０】
前記境界層の全体又は一部から前記局所適用剤を分離させるのに充分な前記移転力が、前記支持体を使用する人の動きによって与えられることを特徴とする請求項２６に記載の方法。
【請求項３１】
前記境界層が前記支持体に種々のパターンで付加されることを特徴とする請求項２４に記載の方法。
【請求項３２】
前記局所適用剤が前記境界層に種々のパターンで付加されることを特徴とする請求項２４に記載の方法。
【請求項３３】
前記表面が、真皮又は表皮の最も外側の露出された層であることを特徴とする請求項２４に記載の方法。
【請求項３４】
前記支持体が不織ウェブであることを特徴とする請求項２４に記載の方法。
【請求項３５】
前記支持体がパーソナルケア製品か又はその構成材を構成することを特徴とする請求項２４に記載の方法。
【発明の詳細な説明】
【０００１】
（技術分野）
本発明は、局所適用剤を隣接した表面に移転するための送達システムに関する。複合材は、不織布のような支持体に付加される境界層と局所適用剤を含み、局所適用剤が支持体から容易に分離し、その後移転するようにされる。
【０００２】
（背景技術）
パーソナルケア吸収製品のような不織布を含む構成材からなる多くの製品は、使用者の皮膚と互いに影響を及ぼし合う。種々の皮膚疾患は、パーソナルケア吸収製品の使用に関連していることが多い。おむつかぶれは、一つには不織布と使用者の皮膚との摩擦によって起こると考えられる皮膚疾患の主な例である。おむつかぶれを治療する又は防ぐために、クリームやローションの局所適用剤のような多数の予防手段が開発され、長年使用されている。
【０００３】
皮膚のバリア機能障害は、皮膚の脂質を含んだ領域の物質又は構造が損われることに関連する場合が多い。スキンケア製品の開発分野の１つは、ｉｎ−ｖｉｖｏとして知られる特定の化合物が補われたローションの外用剤による脂質の補充である。ペトロラタム又は鉱油を含むもののようなバリヤクリームの使用も一般的である。これらのバリヤクリームは、通常は、疎水性の被覆物で皮膚を覆うことによって作用する。ペトロラタム基剤のローションは、植物性抽出物を含んだ高価なローションとは、後者が活性薬を皮膚の表面上に運ぶことを意図されているという点で区別される。
【０００４】
ペトロラタム基剤のローションは、多くの一般的な皮膚疾患の発生を効果的に防ぐか又は低減させるが、典型的に、パーソナルケア吸収製品の使用毎に皮膚に直接塗布する必要がある。これに関して説明される参考特許は、Ｒｏｅ他の米国特許第５，６３５，１９１号と、Ｒｏｅの米国特許第５，６０６，５９７号と、Ｒｏｅ他の米国特許第５，６４３，５８８号を含む。最近では、ペトロラタム基剤のローションが塗布された不織構成材を含むパーソナルケア吸収製品に関する特許出願（２０００年４月２７日付けの米国特許出願第０９／５５９，５６６号）が出願されている。
【０００５】
使い捨てのパーソナルケア吸収性衣類に関連した多くの一般的な皮膚疾患の発生を防ぐか又は低減することが可能な、不織支持体の局所的な加工に対する必要性又は要望が依然として存在している。また、皮膚の健康上極めて明白な利点をもつ最小の局所適用剤の付加量で該薬剤の移転を最大化させることも必要とされるか又は望まれる。ペトロラタム基剤のローションを含む局所適用剤を不織支持体から使用者の皮膚に移転させる効果的かつ改善された方法も必要とされるか又は望まれる。
【０００６】
（発明の開示）
上記の難点と従来技術において遭遇する問題に対して、不織支持体から使用者の皮膚のような隣接した表面すなわち二次的表面への局所適用剤の移転効率を高める新しい方法及び複合材が見出された。この表面処理組成物は、不織支持体についての許容できる流体処理性能及び皮膚の水和度を維持しながら、皮膚と支持体との接触により使用者の皮膚への局所適用剤の移転効率を高めることができる。
本発明は、パーソナルケア製品用途に使用される支持体の表面処理の組合せに関する。この表面処理は、局所適用剤を二次的表面に移転するのに効果的な局所伝達システムを与えるだけでなく、その効率を著しく高め、このためより少ない最小の局所適用剤の付加量で二次的表面において又は該表面上で明白な利点を達成するものである。
【０００７】
本発明は、支持体と境界層と局所適用剤とを含み、境界層の第１表面が支持体の第１表面に付加され、局所適用剤が境界層の第２表面に付加された複合材料に向けられている。二次的表面への局所適用剤の移転効率を向上するために、境界層と局所適用剤は、境界層から局所適用剤を分離するのに要する移転力が支持体から境界層を分離するのに要する移転力より小さくなるように、互いに対して親和性の低いものにされる。移転効率はまた、局所適用剤が支持体の上に直接位置するとき、すなわち境界層が存在しないときに比べて局所適用剤と支持体との間に境界層が存在するときに改善される。境界層は、支持体より低い融解温度をもつものとすることができ、少なくとも約２５℃の温度に曝されたときに境界層が液化するか又は液化し始めるようにすることも考えられている。境界層の液化により、通常は、境界層が軟化され、局所適用剤を支持体から分離して移転させるのに必要とされる移転力が低下する。
【０００８】
局所適用剤の移転効率を高めるために、境界層は、互いに対して低い親和性をもつ１層以上の化合物を含むことができ、これにより、局所適用剤と境界層との界面での分離を要することなく、局所適用剤と境界層の一部が境界層の第２部分から分離される。境界層／境界層の分離が生じ得ることにより、移転効率を高めるという本発明の目的に照らして、他の場合には局所適用剤と共に使用することが不適切となる（例えば親和性が高いことが原因である）ような化合物を、境界層に使用できるようになる。
移転効率をさらに高めるために、種々のパターンで境界層を支持体に付加し、局所適用剤を境界層の第２表面に付加することができる。最大の移転効率を達成するために、支持体の第１表面の全てを境界層で覆うか、又は境界層の第２表面の全てを局所適用剤で覆う必要はない。
【０００９】
本発明は、不織布から使用者の皮膚へのローション又は軟膏の移転効率を高めるだけでなく、限定する意味ではないが、不織布又はその他の支持体から艶出剤、クリーニング剤、クレンジング剤などを供与するといった産業用途を含む種々のその他の用途における移転効率を高めると考えられる。
本発明はまた、支持体から二次的表面への局所適用剤の移転効率を高める方法に向けられている。この方法は、支持体を用意すること、支持体に境界層加工を施すこと、境界層に局所適用剤を付加すること、及び、境界層を、支持体からの局所適用剤の分離を容易にし、かつ境界層及び局所適用剤に隣接した二次的表面への局所適用剤の移転を促進する少なくとも１つの状態にさらすことを含む。
【００１０】
上記のことを考慮に入れると、本発明の特徴及び利点は、二次的表面と支持体とが接触することにより、二次的表面への、好ましくは皮膚への局所適用剤の移転効率を高める表面処理が施された複合材料を提供することである。
本発明の特徴及び利点はまた、支持体から皮膚に局所適用剤を移転させる改善された方法を提供することである。
【００１１】
定義
ここで用いられる以下の用語は、文脈から異なる意味が求められるか又は異なる意味が表記される場合を除いて特定の意味をもち、また、特に指定のない限り、単数は通常複数を含み、複数は通常単数を含む。
ここで用いられる「備え」、「備えて」という語、及び「備える」を語根とするその他の派生語は、記載の特徴、要素、完全体、段階、又は構成材のいずれかの存在を指定する、幅広い解釈ができる用語とされることを意図されており、１つ又はそれ以上のその他の特徴、要素、完全体、段階、構成材、又はそれらのグループの存在又は追加を除外するものではない。
【００１２】
ここで用いられる「布」という用語は、織られた、編まれた、及び不織の繊維ウェブの全てを指すのに用いられる。
ここで用いられる「層」という用語は、単数で用いられる場合には、単一の要素又は複数の要素の２つの意味を持つことができる。
ここで用いられる「ローション」又は「軟膏」という用語は、ほぼ互いに置き換えることができ、皮膚への適合性があるが、それ自体では皮膚健康又は皮膚状態の改善を与えない皮膚健康用成分又は組成を含んでいる製剤、散剤又はこれらの組合せを意味する。
【００１３】
ここで用いられる「メルトブロー繊維」という用語は、融解した熱可塑性材料を、複数の微細な、普通は円形のダイ毛細管を通じて、収束する高速の普通は高温のガス（例えば空気）流の中へ融解糸又はフィラメントとして押し出し、熱可塑性材料のフィラメントがガス流によって細められ、直径がマイクロファイバーの直径にまで縮小されることにより形成される小直径の繊維を意味する。その後、メルトブロー繊維は、高速ガス流により運ばれ、集積面に堆積されて、不規則に分散されたメルトブロー繊維のウェブを形成する。このような工程は、例えば、ビューティン他に付与された米国特許第３，８４９，２４１号に開示されている。メルトブロー繊維は、連続的又は非連続的なマイクロファイバーであり、一般的には平均直径が約１０ミクロン以下であり、集積面に堆積されるときに通常は粘着性がある。
【００１４】
ここで用いられる「マイクロファイバー」という用語は、約７５ミクロン以下の直径、例えば、約０．５ミクロンから約５０ミクロンまでの平均直径を有する小直径の繊維を意味し、より特定的には、マイクロファイバーは、約２ミクロンから約４０ミクロンまでの直径を有していてもよい。繊維の直径によく用いられる別の表現はデニールであり、デニールは、繊維の９０００メートル当たりのグラム数として定義され、ミクロンの繊維直径を２乗し、密度ｇ／ｃｃを掛け、０．００７０７を掛けることで算出することができる。低いデニールは細い繊維を示し、高いデニールは、太い又は重い繊維を示す。例えば、１５ミクロンとして与えられたポリプロピレン繊維の直径を２乗し、この結果に０．８９ｇ／ｃｃを掛け、さらに０．００７０７を掛けることにより、デニールに換算できる。従って、１５ミクロンのポリプロピレン繊維は、約１．４２（１５２×０．８９×０．００７０７＝１．４１５）デニールを有する。米国以外では、この測定単位は、「テックス」で表されることが多く、テックスは、繊維１キロメートル当たりのグラム数として定義される。「テックス」は、デニール÷９として算出することができる。
【００１５】
ここで用いられる「多層ラミネート」という用語は、スパンボンド／メルトブロー／スパンボンド（ＳＭＳ）ラミネートのような、層の一部がスパンボンドであり一部はメルトブローであるラミネートと、ブロック他に付与された米国特許第４，０４１，２０３号、コリエ他に付与された米国特許第５，１６９，７０６号、ポッツ他に付与された米国特許第５，１４５，７２７号、パーキンス他に付与された米国特許第５，１７８，９３１号、及びティモンズ他に付与された米国特許第５，１８８，８８５号に開示されるようなその他のラミネートを意味する。このようなラミネートは、移転する成形ベルトの上に、初めにスパンボンド布層、次にメルトブロー布層、最後に別のスパンボンド層を連続的に堆積し、次いで後述する方法でこのラミネートを結合することにより形成することができる。或いは、これらの布層を個々に作成し、ロールに集積し、別々の結合ステップにより結合しても良い。このような布は、普通は約０．１ｏｓｙから１２ｏｓｙ（６ｇｓｍから４００ｇｓｍ）、より特定的には約０．７５ｏｓｙから約３ｏｓｙの坪量をもつ。多層ラミネートはまた、多くの異なる形状の、種々の数のメルトブロー層又は多数のスパンボンド層を有することができ、例えばＳＭＭＳ、ＳＭ、ＳＦＳ等のフィルム（Ｆ）又はコフォーム材料のようなその他の材料を含んでいてもよい。
【００１６】
ここで用いられる「不織」及び「不織布又はウェブ」という用語は、編まれた布のような識別可能な形態ではなく、個々の繊維、フィラメント又は糸が重なり合わされた構造をもつウェブを意味する。不織布又は不織ウェブは、例えば、メルトブロー法、スパンボンド法、及びボンデッドカーデッドウェブ法などのような多くの方法により形成される。不織布の坪量は、普通は１平方ヤード当たりの材料のオンス数（ｏｓｙ）か、又は１平方メートル当たりのグラム数（ｇｓｍ）で表され、有用な繊維の直径は、普通はミクロンで表される。（ｏｓｙからｇｓｍに換算するには、ｏｓｙに３３．９１を掛ければよい。）
【００１７】
ここで用いられる「パーソナルケア製品」又は「パーソナルケア吸収製品」という用語は、おむつ、トレーニングパンツ、水着、吸収性下着、乳児用拭取り材成人失禁用製品、衛生用拭取り材、湿潤拭取り材、婦人用衛生製品、創傷被覆材及び包帯を意味する。
ここで用いられる「ペトロラタム」という用語は、これに限定されるものではないが、ミネソタ州セントポール所在のＧｌｅｎｎ　Ｃｏｒｐｏｒａｔｉｏｎから入手可能なＧｌｅｎｐｕｒｅ　Ｌ　Ｗｈｉｔｅ　Ｐｅｔｒｏｌａｔｕｍ　ＵＳＰのような、石油から得られた炭化水素の半固体混合物を指す。
ここで用いられる「皮膚」という用語は、哺乳動物の真皮又は表皮の最も外側の、露出された、傷のつき得る層を指す。
【００１８】
ここで用いられる「スパンボンド繊維」という用語は、融解した熱可塑性材料を、紡糸口金の複数の微細な普通は円形の毛細管からフィラメントとして押し出し、次いで、押し出されたフィラメントの直径を、例えば、アッペル他に付与された米国特許第４，３４０，５６３号、ドーシュナー他に付与された米国特許第３，６９２，６１８号、マツキ他に付与された米国特許第３，８０２，８１７号、キニーに付与された米国特許第３，３３８，９９２号及び３，３４１，３９４号、ハートマンに付与された米国特許第３，５０２，７６３号、及びドーボー他に付与された米国特許第３，５４２，６１５号におけるように、急速に縮小することにより形成される小直径の繊維を指す。スパンボンド繊維は、通常は、集積面に堆積される時には粘着性がない。スパンボンド繊維はほぼ連続しており、その繊維直径（少なくとも１０のサンプルから）は、約７ミクロン以上、より特定的には約１０から約２０ミクロンの間である。
【００１９】
ここで用いられる「局所適用剤」という用語は、これらに限定されるものではないが、艶出剤、クリーニング剤、又はクレンジング剤など、並びにローション、軟膏、パウダー、又はこれらの組合せを含む、オーバーレイヤ・タイプの材料表面改質剤を意味する。本発明の目的においては、「表面増強剤」という用語は、「局所適用剤」という用語にほぼ置き換えることができる。
ここで用いられる「移転力」という用語は、本発明の複合材料の２つ又はそれ以上の層の分離を生じさせることができる何らかの力を意味する。ここで用いられる「移転力」という用語は、これらに限定されるものではないが、特に、剪断力、剥離力、ある物質又は表面の別の物質又は表面に対する優先化学親和力、或いは境界層の全体又は一部から局所適用剤を概ね分離するか又は境界層の或る層を境界層の第２層から分離することができるその他の力又は力の組み合わせを指す。
これらの用語は、本明細書の残りの部分において付加的な言葉で定義され得る。
【００２０】
（発明を実施するための最良の形態）
本発明の記載は、使用者の皮膚への局所適用剤の移転に焦点を当てるものであるが、当業者であれば、ここに記載される送達システムを、適当な境界層の組成が利用可能であり、かつ二次的表面への局所処置剤又は局所適用剤の移転効率が改善されることが望ましい、局所加工された支持体に使用できることが分かるであろう。
哺乳動物、特にヒトの皮膚への皮膚処置組成物又は皮膚処置適用剤の局所的投与は、皮膚の自然な一体性を保ち及び回復させることによって皮膚を保護することが知られているが、弱い境界層移転による吸収性物品からの局所適用剤の効果的な移転がこれまでに達成された例はない。局所適用剤の効果的な移転は、所望の表面が効果的な量の適用剤を受け取ることを保障するだけでなく、必要とされる適用剤の付加量を最小にする。付加量の最小化は、生産コストを下げることに寄与する。本発明によって、局所適用剤の移転効率を高めるための組成物及び方法が提供される。
【００２１】
図１及び図２に本発明の複合材料の最も単純な形態を示す。図示されるように、複合材料１０は支持体１２を含み、該支持体は、第１表面１４と、第１表面１４の反対側の第２表面１６（図４に示す）とを有する。複合材料はさらに境界層１８を含み、該境界層は、１つ又はそれ以上の化合物から構成され、第１表面２０と、境界層の第１表面２０の反対側の第２表面２２とを有する。境界層１８の第１表面２０は、支持体１２の第１表面１４に付加される。複合材料は局所適用剤も含む。図示されるように、局所適用剤２４は、支持体とは反対側の境界層１８の表面２２に付加される。図１において局所適用剤２４は斜線で示されているが、これは単に局所適用剤２４が支持体１２に付加される領域を区別するためになされたものであり、以下に説明するような局所適用剤を付加する手法を提案するか、又は限定するためになされたものではない。複合材料は、境界層１８から局所適用剤２４を分離するのに要する移転力が、境界層１８から支持体１２を分離する（或いは、局所適用剤が支持体に直接付加される場合には支持体から局所適用剤を分離する）のに要する移転力より低くなるように作成され、それにより局所適用剤の移転効率が高められる。
【００２２】
複合材料の支持体は、図１及び図２には単層として示されているが、図３及び図４に示されるような多層ラミネートであってもよい。多層ラミネートの例は、Ｂｒｏｃｋ他に付与された米国特許第４，０４１，２０３号、Ｃｏｌｌｉｅｒ他に付与された米国特許第５，１６９，７０６号、及びＢｏｒｎｓｌａｅｇｅｒに付与された米国特許第４，３７４，８８８号に開示されるスパンボンド／メルトブローン／スパンボンド（ＳＭＳ）ラミネートのような、層の幾つかがスパンボンドであり幾つかがメルトブローンであることを特徴とする実施形態である。そうした支持体は、普通は約０．１ｏｓｙから約１２ｏｓｙ（約６ｇｓｍから約４００ｇｓｍ）までの秤量を有し、より特定的には約０．７５ｏｓｙから約３ｏｓｙまでの秤量を有する。
【００２３】
本発明の詳細な説明の残りの部分は、幼児の下半身に装着するのに適した使い捨ておむつ物品に関してなされるものである。しかしながら、本発明の複合材料は、女性用衛生パッド、失禁用衣類、トレーニングパンツ等々といった他のタイプの吸収性物品としての使用又はそうした物品における使用にも適していることはすぐに分かるであろう。上記のように、本発明の複合材料は、艶出剤、クリーニング剤、クレンジング剤などの局所適用剤又は表面増強剤を、二次的表面により効果的に移転するために用いられる拭き布として使用するのにも適していることは明らかである。さらに、本発明はその種々の構成について説明される。本発明の別の配置は、支持体が単層からなる吸収性物品又はパーソナルケア製品を含む構成のいかなる組み合わせをも含み得ることを理解されたい。したがって、所望の実施形態、すなわちおむつの使用は、本発明の理解と説明の便宜のためのものであり、いかなる点においても本発明の範囲を限定するものではない。
【００２４】
特に指定のない限り、吸収性物品又はパーソナルケア製品、より特定的にはおむつに関わる支持体への言及は、場合に応じて、（図１及び図２に最も良く示されるように）物品が単層である場合には物品又は製品の構造全体を指し、（図３及び図４に最も良く示されるように）物品が２つ以上の層からなる場合には物品又は製品の着用者に接触する層か、又は通常は、物品又は製品の着用者に接触する表面を指すことを理解することは重要である。
【００２５】
図３は、平らに広げられた非収縮状態（即ち全ての弾性体によるギャザー及び収縮が除かれた状態）の、本発明の一実施形態に係る使い捨ておむつ２６のような一体型の吸収性衣類物品又はパーソナルケア製品の代表的な平面図である。吸収性物品即ちおむつ２６の内部の構成をより明確に示すために構造の一部が部分的に切り取られ、おむつの着用者に接触する面がこちらを向いている。図４は、図３の吸収性物品の線４−４に沿って見た断面図を表す。図３及び図４を参照すると、使い捨ておむつ２６は通常、前ウエスト部２８と、後ウエスト部３０と、前ウエスト部と後ウエスト部を相互に連結する中間部３２とを構成する。前ウエスト部２８と後ウエスト部３０は、使用中にそれぞれ着用者の腹部の前後をほぼ覆って延びるように構成された物品の部分を含む。物品の中間部３２は、着用者の脚の間の股部を通って延びるように構成された物品の部分を含む。
【００２６】
吸収性物品に組み込まれる複合材料の所望の実施形態は、蒸気透過性の裏面シート又は外側カバー３４と、該裏面シート３４と向かい合う状態に位置決めされた液体透過性のライナ又は上面シート３６と、裏面シート３４と上面シート３６との間に配置された吸収パッドのような吸収体３８とを有する支持体を含む。図示された実施形態においては、裏面シート３４はおむつ２６の長さ及び幅と一致した長さ及び幅を定める。吸収体３８は通常、裏面シート３４の長さよりも短い長さと、裏面シート３４の幅よりも小さい幅を定める。これにより、裏面シート３４の周縁部のようなおむつ２６の周縁部は、吸収体３８の終端縁を越して延びることができる。例えば図示された実施形態においては、裏面シート３４は吸収体３８の終端縁を越えて外向きに延びて、おむつ２６の側縁と端縁を形成する。上面シート３６は通常、裏面シート３４と同一の広がりをもつが、必要に応じて、裏面シート３４の面積より大きいか又は小さい面積を随意的に覆うことができる。使用中に、裏面シート３４は衣類に面し、上面シート２６は着用者の身体に面することが意図されている。
【００２７】
裏面シートの透過性は、吸収性物品の通気性を高め、裏面シート３４の衣類対向面に尿などの蒸気が過度に凝結して着用者の衣類が湿ってしまうことなく、使用中の着用者の皮膚の水和を低減するように構成される。
【００２８】
フィット性を向上し、おむつ２６からの身体排出物の漏れを減らすのを助けるために、おむつの側縁及び端縁は、単一の又は多数の弾性ストランドのような適切な弾性部材で弾性を付与することができる。弾性ストランドは、天然ゴム又は合成ゴムから構成されていてもよいし、随意的に熱収縮性又は熱により弾性を付与されるものとしてもよい。例えば、図３及び図４に代表的に示されるように、おむつ２６は、漏れを減らし快適性と外観を向上させるために、おむつ２６の側縁を作動的にギャザー寄せし、かつシャーリングして、着用者の脚の周りにぴったりとフィットする弾性の脚部バンドを与えるように構成された脚部弾性体４０を含むことができる。同様に、おむつ２６の端縁に弾性を付与して、弾性のウエスト部を与えるために、ウエスト弾性体４２を用いることができる。ウエスト弾性体は、ウエスト部を作動的にギャザー寄せし、かつシャーリングして、着用者のウエスト周りに弾性的なぴったりとした快適なフィットを与える構成にされる。図示された実施形態においては、明瞭にするために、弾性部材が収縮していない伸ばされた状態で示されている。
おむつを着用者に固定するために、フック・ループ式のファスナ４４のような締結手段が用いられる。或いは、ボタン、ピン、スナップ、接着テープ式ファスナ、粘着材、マッシュルーム・ループ式ファスナなどといったその他の締結手段を用いることもできる。
【００２９】
おむつ２６は更に、吸収体３８と上面シート３６又は裏面シート３４との間に他の層を含むことができる。例えば、図３及び図４に代表的に示されるように、おむつ２６は、吸収体３８から裏面シート３４を隔離して空気の循環を改善し裏面シート３４の衣類対向面の湿気を効果的に減らすために、吸収体３８と裏面シート３４との間に配置される通気層４６を含むことができる。通気層４６はまた、吸収体３８の直接放出を受けない部分に流体排出物を分散させるのを助けることができる。おむつ２６はまた、流体排出物が溜まることを防ぎ、おむつ２６内での換気と流体排出物の分散を更に向上させるために、上面シート３６と吸収体３８との間に配置されるサージ調整層４８を含むことができる。
【００３０】
最も望ましい実施形態では、本発明の複合材料に界面活性剤は添加されない、すなわち組み込まれないが、別の実施形態においては、支持体の湿潤性を増進し、それにより使用者の皮膚表面からの水分の吸い上げを促進し、かつ皮膚の健康状態を向上させるために、おむつ２６の支持体又は上面シート３６を界面活性剤で処理してもよい。
【００３１】
界面活性剤を組み入れるこの別の実施形態では、上面シート３６の布地は、アメリカ合衆国コネティカット州ダンベリー所在のユニオン・カーバイド・ケミカルズ・アンド・プラスティックス・カンパニー・インクからＴＲＩＴＯＮ　Ｘ−１０２という商品名で市販されているもののような界面活性剤で表面処理される。或いは、この布地は、ＡＨＣＯＶＥＬ　Ｂａｓｅ　Ｎ−６２とＧＬＵＣＯＰＯＮ　２２０ＵＰ界面活性剤を、界面活性剤混合物の総重量に基づき３対１の割合で混合したものを含む、約０．３重量パーセントの界面活性剤混合物で表面処理されてもよい。その他同類の使用し得る界面活性剤は、ＭＡＳＩＬ　ＳＦ１９及びＤＣ１９３界面活性剤を含む。ＡＨＣＯＶＥＬ　Ｂａｓｅ　Ｎ−６２は、ユニケマ社（デラウェア州ニューキャッスル所在のＩＣＩ社の一部門）から購入され、水素添加されエトキシル化されたひまし油とソルビタンモノオレエートの配合物を含む。ＧＬＵＣＯＰＯＮ　２２２ＵＰは、コグニス・コーポレーションから購入され、アルキルポリグリコシドを含む。ＭＡＳＩＬ　ＳＦ１９界面活性剤はＢＡＳＦ社（イリノイ州ガーニー所在）から購入され、ＭＡＳＩＬ　ＤＣ１９３界面活性剤はダウ・コーニング社（ミシガン州ミッドランド所在）から購入される。ＭＡＳＩＬ　ＳＦ１９及びＤＣ１９３界面活性剤は、エトキシル化ポリアルキルシロキサンの典型的な例である。界面活性剤は、飽和させること、噴霧すること、プリントすること、ロール転写すること、スロット・コーティングすること、ブラシ・コーティングすること、内部融解添加すること等のようなどんな従来の手段で適用されてもよい。界面活性剤は、上面シート３６の全体に適用することもできるし、おむつの縦方向中心線に沿った中間部のような上面シート３６の特定の部分に、こうした部分により高い湿潤性を与えるために、選択的に適用することもできる。
【００３２】
おむつ２６は、種々の適した形にすることができる。例えばおむつは、全体的に長方形の形、Ｔ字形、又はほぼ砂時計形にすることができる。図示された実施形態では、おむつ２６はほぼＩ字形の形状をもつ。おむつ２６は更に、縦方向５０と横方向５２を定める。本発明を組み入れる吸収性物品に含まれ得るその他の適切なおむつ構成材には、当業者に広く周知の閉じ込めフラップ、ウエストフラップ、エラストマー性の側部パネルなどが含まれる。
【００３３】
おむつへの使用に適したその他の構成材を含む、本発明に使用するのに適したおむつの形状の例は、Ｍｅｙｅｒ他に付与された１９８９年１月１７日付の米国特許第４，７９８，６０３号、Ｂｅｒｎａｒｄｉｎに付与された１９９３年１月５日付の米国特許第５，１７６，６６８号、Ｂｒｕｅｍｍｅｒ他に付与された１９９３年１月５日付の米国特許第５，１７６，６７２号、Ｐｒｏｘｍｉｒｅ他に付与された１９９３年３月９日付の米国特許第５，１９２，６０６号、及びＨａｎｓｏｎ他に付与された１９９６年４月２３日付の米国特許第５，５０９，９１５号に開示されており、それらの開示は引用によりここに組み込まれる。
【００３４】
おむつ２６の種々の構成材は、接着剤、超音波結合、熱結合又はこれらの組み合わせといった種々の形式の適切な取り付け手段を用いて一体に組み立てられる。例えば、上面シート３６と裏面シート３４は、感圧式のホットメルト接着剤のような接着剤の図示されていない線で互いに及び吸収体３８に組み立てられる。接着剤は、接着剤の均一な連続した層、接着剤のパターン化された層、接着剤の噴霧パターン、或いは接着剤の分離した線の列、スワール又はドットとして適用することができる。同様に、弾性部材４０及び４２、締結部材４４、通気層４６及びサージ層４８のようなその他のおむつ構成材は、上述の取り付け機構を用いておむつ物品に組み立てることができる。
【００３５】
図２と図４から図６までは、複合材料が、第１表面２０及び第２表面２２をもつ境界層１８と局所適用剤２４とを更に含むことを示す。支持体は、図３及び図４と関連して説明されこれらに図示されたものより、複雑にも単純にもすることができるが、図５及び図６の吸収性物品即ちおむつ２６を代表する支持体は、単に簡便のために単層の支持体として示されている。
図４から図６までに示すように、境界層１８の第１表面２０は、おむつの着用者に接触する面（身体対向面）３６に付加される。境界層１８とおむつの身体対向面３６が互いに接触する領域は、境界層／支持体の界面５４として定義される。更に図示されるように、局所適用剤２４は、境界層１８の第２表面２２に付加され、それにより境界層／局所適用剤の界面５６が生じる。
【００３６】
上記のように、境界層１８は、おむつの身体対向面即ち上面シート３６に付加される。融解又は液体粘稠度をもつ境界層化合物を均等に分布させる付加方法であれば、種々の方法のいずれをも用いることができる。好適な方法は、これらに限定されないが、噴霧すること、スロット・コーティングすること、印刷（フレキソ印刷など）すること、コーティング（グラビア・コーティング）すること、押出し成形すること、或いは、回転する表面に組成物を噴霧し、次に該組成物をおむつ２６の身体対向面３６に転写するといったこれらの方法の組み合わせを含む。表面上に不均等に又は不均一に分布した境界層を備える支持体を用意することも可能である。更に、ポリアルキルシロキサン又はアルキル化脂肪酸エステルといった内部融解添加剤を用いることもできる。内部融解添加剤は、不織繊維の表面に滲み出して、それにより後で局所ローション又は局所軟膏をその上に付加することができる境界層を与えるように意図されている。ポリアルキルシロキサンの典型的な例は、ＤＣ２００シリコーン流体（ミシガン州ミッドランド所在のダウ・コーニング社）であり、これはまた、ダウ・コーニング社から、Ｍａｓｔｅｒｂａｃｈ　ＭＢ５０−００１シリコーン及びＭａｓｔｅｒｂａｃｈ　ＭＢ５０−００２シリコーンとして知られているポリオレフィン中の配合濃縮物としても入手可能である。アルキル化脂肪酸エステルの典型的な例は、ソルビタンモノ、ジ、又はトリオレエート、及びそれらのステアレート類似体であり、これらはユニケマ社から入手可能である。
【００３７】
境界層１８は、おむつ２６の身体対向面全体に付加されていても良いし、身体対向面の一部に選択的に付加されていても良い。おむつの身体対向面の一部にのみ付加される場合には、境界層１８は、パターン付けされた配向で、或いは１つ又はそれ以上のストリップ６０の形で付加することができる。図面では、境界層はおむつの機械縦方向に連続的に又はほぼ連続的に付加されたものとして示されているが、境界層は、局所適用剤をそこに付加できるようなパターンである限り、これらに限定する意味ではないが、機械縦方向、横方向、又は対角線方向に連続的な線又は断続的な線、正弦波形又は不連続な点等々を含む、いかなる連続的又は断続的なパターンでも付加され得ることが理解され予想される。
【００３８】
境界層は、吸収性物品１０の縦方向中心線５８に位置合わせされるか又は該中心線を中心とするストリップ又はパターンの形にされて、該ストリップ又はパターンがおむつ２６の中間部３２（即ち股部）を通るようにおむつ２６の身体対向面３６に付加されることが望ましい。境界層は、おむつ２６の身体対向面３６に複数のストリップ６０の形で付加されることがさらに望ましい。総表面積に応じて、境界層１８を構成するストリップの数は、通常は１から６０までの間であることが望ましく、４から１２までの間であることがより望ましく、４から８までの間であることが更に望ましい。境界層１８が付加される吸収性物品又はパーソナルケア製品が異なればストリップ又はパターンの寸法も変わることになるが、境界層１８は、中心線５８から最も外側にある境界層の２つのストリップ又はパターンの外側縁から計測する（例えば、図３に最も良く示されるように、ストリップ６２の外側からストリップ６４の外側まで。このとき境界層の幅は図示された局所適用剤の幅に等しいと仮定する）際に、ほぼ幅４インチであることが望ましい。境界層１８のストリップの幅は均一である必要はないが、境界層１８のストリップの各々の幅は、約０．１ｍｍから約１００ｍｍであることが望ましく、約０．５ｍｍから約４０ｍｍであることがより望ましく、約１ｍｍから約７ｍｍであることが更に望ましい。また、境界層のストリップの各々は、互いの間に、約０．１ｍｍから約１００ｍｍまでの間隔をもつことが望ましく、約０．５ｍｍから約４０ｍｍまでの間隔をもつことがより望ましく、約１ｍｍから約７ｍｍまでの間隔をもつことが更に望ましい。境界層のストリップ又はパターンの間隔は均一である必要はないが、必要であれば支持体の層が互いに接着されるのに十分な幅にするべきである。幅及び間隔と同様に、境界層のストリップ又はパターンは種々の高さに付加することができる。境界層のストリップ又はパターンの各々の高さは、約０．１ｍｍから約０．５ｍｍまでであることが望ましく、約０．１ｍｍから約０．３ｍｍまでであることがより望ましく、約０．１ｍｍから約０．２ｍｍまでであることが更に望ましい。
【００３９】
多層の境界層を組み込んだ本発明の実施形態（例えば図６に示す実施形態）を例外として、本発明の境界層１８は、吸収性物品の組立の間のどの時点においても支持体の身体対向面に付加することができる。例えば、支持体へと成形される原材料ウェブは、該ウェブが支持体へと加工される前に境界層組成物を用いて加工することができ、支持体の身体対向面は、吸収性物品に組み込まれる前に境界層組成物を用いて加工することができ、また、支持体の身体対向面は、支持体が吸収性物品に組み込まれた後に組成物を用いて加工することもできる。多層の境界層を組み込んだ本発明の実施形態においては、境界層１８の第１層６６は、吸収性物品又はパーソナルケア製品の組立の間のどの時点でも支持体の身体対向面３６に付加することができるが、境界層１８の第２層６８は、支持体の押出後、本質的には第１層６６の後にのみ付加することができる。境界層１８の第２層６８は、融解又は液体粘稠度をもつ境界層化合物を均等に分布させる付加方法であれば、種々の方法のいずれによっても第１層６６に付加することができる。第２層６８を付加するのに適した方法は、これに限定されるものではないが、押出を除く上記で列挙したもの全てを含む。
【００４０】
本発明における使用に適した境界層化合物の例は、これらに限定する意味ではないが、トリグリセリド誘導体及びその配合物、ソルビタンエステル誘導体及びその配合物、ジメチコン、ミリスチルミリステート（コグニス・コーポレーション社製のＣｅｔｉｏｌ　１４１４Ｅ）といった炭化水素軟化剤、１０４までの炭素鎖長をもつ長鎖アルコール又は酸、１０４までの炭素鎖長をもつエトキシル化アルコール又は酸、高分岐化ポリエチレン・オリゴマー、酸化炭化水素（ポリエチレン及びポリプロピレンなど）、直鎖ポリエチレン・オリゴマー、ポリビニルアセテート、及びポリビニルアセテートシリコン誘導体を含む。
【００４１】
境界層１８がおむつ２６の身体対向面３６に付加された後に、局所適用剤２４が境界層１８に付加される。幾つかの局所適用剤は、ある種の化合物（即ち境界層を構成しうるもの）に対する親和性の有無により、他のものに比べてより望ましいか或いはより望ましくないであろうが、本開示の中には、本発明において用いることのできる局所適用剤の範囲を限定することを意図するものは何もない。
【００４２】
局所適用剤２４は、境界層１８の第２表面２２全体に付加してもよいし、境界層１８の第２表面２２の特定の部分により高い潤滑性を与え、かつそうしたローションを着用者の皮膚に移転させるために、こうした部分に選択的に（すなわちストリップ又はパターンの形で）付加してもよい。或いはまた、図５に代表的に示されるように、境界層１８の第２表面２２は、該表面に適用される局所適用剤２４の多数のストリップを含むこともできる。局所適用剤は境界層１８に種々の手法で付加できることを理解されたい。例えば、それぞれの寸法に応じて、局所適用剤２４の１つのストリップ又はパターン６０を境界層１８のストリップ又はパターンの各々に付加することもできるし、局所適用剤２４の多数のストリップ及び／又はパターン６０を境界層１８のストリップ又はパターンの各々に付加することもできる。局所適用剤２４のパターン又はストリップ６０は、境界層１８のストリップの全長に亘って延びていてもよいし、その一部分にのみ延びていてもよい。局所適用剤２４のストリップ６０の長さは、部分的に境界層１８の長さに従うことになる。局所適用剤２４は、それが付加される境界層１８の実質的に全長に亘って延びることが望ましい。上記のように、所望の実施形態においては、境界層１８はパーソナルケア製品１０のほぼ全長に亘って延び、その結果、局所適用剤４０もパーソナルケア製品１０のほぼ全長に亘って延びることが望ましい。
【００４３】
また、局所適用剤２４のストリップ又はパターン６０は、約０．２センチメートルから約１センチメートルまでの幅を定めることができる。ストリップ６０は、約０．２センチメートルから約０．５センチメートルまでの幅をもつことが望ましく、約０．２センチメートルから約０．４センチメートルまでの幅をもつことがより望ましく、約０．２センチメートルから約０．３センチメートルまでの幅をもつことが更に望ましい。また、局所適用剤２４のストリップ６０は、約０．２センチメートルから約０．５センチメートルまでの距離だけ隔てられることが望ましく、約０．２センチメートルから約０．４センチメートルまでの距離だけ隔てられることがより望ましい。また、局所適用剤２４のストリップ６０は、約０．１ｍｍから約０．３ｍｍまでの高さをもつことが望ましく、約０．２ｍｍから約０．３ｍｍまでの高さをもつことがより望ましい。境界層１８上に不均等に又は不均一に分布した局所適用剤２４を有する吸収性物品又はパーソナルケア製品を用意することが可能である。
【００４４】
局所適用剤は、周知の多くの手法のいずれによっても境界層１８の第２表面２２に付加することができる。局所適用剤を境界層１８の身体対向面に均一に付加するのに好適な方法は、最も実際的な目的において最も正確な処理方法であり、かつ局所適用剤の分散及び移転速度の最大限の制御を提供することから、噴霧すること又はスロット・コーティングすることである。しかしながら、他の好適な方法は、印刷（フレキソ印刷など）すること、コーティング（グラビア・コーティングなど）すること、押出すること、或いは、回転する表面に組成物を噴霧し、次に該組成物を境界層１８の第２表面２２に転写することのようなこれらの方法の組み合わせも含む。
【００４５】
例えば、局所適用剤は、（ａ）局所適用剤を融点以上の温度に加熱して融解し、（ｂ）融解した局所適用剤を境界層の身体対向面に均一に付加し、（ｃ）融解した局所適用剤の堆積物を再凝固させること、により境界層に付加することができる。堆積物の再凝固は、チルロールのような外部的な冷却手段を必要とすることなく、ほぼ瞬間的に起こることが望ましい。これは、局所適用剤が、該局所適用剤の融点を僅かに上回る温度か、或いはその融点まで加熱される場合に起こりうる。しかしながら、必要であれば、再凝固を促進するために、融解物を付加する前又は後にチルロールのような外部的な手段を用いることができる。ここで用いられる「液化」及び「融解」という用語は、通常は交換可能であり、変態する物質又は配合物がごく部分的に変態するような液化及び／又は融解の段階を含むことを意図されている。
【００４６】
ストリップの形で付加される場合にもパターンの形で付加される場合にも、妥当な量の局所適用剤が皮膚に移転しておむつ又は支持体と着用者の皮膚との摩擦が低減されることを保障するために、局所適用剤２４は、境界層１８さらには支持体の表面積の十分な量を覆うべきである。局所適用剤は、望ましくは境界層１８の少なくとも約１０パーセント、より望ましくは少なくとも約３０パーセントに亘って付加され、移転を増進させるためには、支持体の身体対向面の少なくとも約５パーセント、より望ましくは少なくとも約２５パーセントに亘って付加される。
【００４７】
局所適用剤は、所望の移転効果を与える付加量であれば、境界層にどんな付加量で付加することも可能である。例えば、局所適用剤の総付加量は、性能の向上のためには、約０．０５ｍｇ／ｃｍ２から約１００ｍｇ／ｃｍ２までとすることができ、約１ｍｇ／ｃｍ２から約５０ｍｇ／ｃｍ２までとすることが望ましく、約１０ｍｇ／ｃｍ２から約４０ｍｇ／ｃｍ２までとすることがより望ましい。付加量は、パーソナルケア製品の特性に対する局所適用剤の所望の効果と特定の局所適用剤によって決まる。界面５６で境界層と接触する局所適用剤の量は最小化されるが、物品又は製品に含まれる局所適用剤の表面積は増大されて、それによりさらに大きな移転効率になることが望ましい。本発明の１つの実施形態においては、局所適用剤の同じ付加量を維持しつつ、局所適用剤ストリップの幅が減少され、それによりストリップ６０の高さが増大され、表面積が増大される。
【００４８】
本発明における使用に適した局所適用剤の例は、天然脂肪及び合成脂肪、天然油脂及び合成油脂、天然蝋及び合成蝋、ポリオレフィン・オリゴマー、脂肪酸、脂肪アルコール、界面活性剤、香料、乳剤、軟化剤、湿潤剤、及び美容上許容されるあらゆる局所成分、並びに、米国連邦規制基準のパート３４４、３４６、３４７、３４８及び３５２に列挙される一般用医薬品も含み、これには、限定する意味ではないが、尿素過酸化水素、血管収縮薬（０．１０−１．２５％エフェドリン硫酸塩、０．００５−０．０１％エピネフリン、０．０５−０．０１％次亜塩素酸エピネフリン、及び０．２５％塩酸フェニレフリンなど）、角質溶解薬（アルクロクサ及びレゾルシノールなど）、鎮痛剤、麻酔薬、及びかゆみ止め薬（ベンゾカイン、リドカイン、０．１０−０．３０％樟脳、１．０−５．０％杜松タール、及び０．１０−１．０％メントールなど）、収斂剤（カラミン、ウィッチヘーゼル、及び酸化亜鉛など）、局所麻酔薬（ベンゾカイン、ベンジルアルコールジブカイン、塩酸ジブカイン、塩酸ジクロニン、リドカイン、塩酸プラモキシン、テトラカイン、塩酸テトラカインなど）、鎮痛剤、麻酔薬、及び皮膚保護薬（水酸化アルミニウム、カラミン、カカオバター、タラ肝油、グリセリン、固形脂肪、カオリン、ラノリン、鉱物油、ペトロラタム、サメ肝油、局所でんぷん、白色ワセリン、及び酸化亜鉛など）、及び遮光剤（アミノ安息香酸、アヴォベンゾン、シノキセート、ジオキシベンゾン、ホモサレート、メンチルアントラニレート、オクトクリレン、オクチルメトキシシンナメート、サリチル酸オクチル、オキシベンゾン、オクチルジメチルパラアミノ安息香酸、フェニルベンズイミダゾールスルホン酸、スルイソベンゼン、二酸化チタン、サリチル酸トロラミン、酸化亜鉛など）を含む。
【００４９】
本発明における局所適用剤として、又はその一部としての使用に適した天然脂肪、天然油脂、及び天然蝋は、これらに限定されるものではないが、アボカド油、杏仁油、ババス油、ルリヂサ種子油、椿油、キャノーラ油、ニンジン油、カシュー油、ひまし油、サクランボ種子油、チア油、タラ肝油、ココナツ油、コーン油、コーン胚芽油、綿実油、月見草油、グリコスフィンゴリピド、ヘーゼルナッツ油、ブドウ種子油、麻実油、ヒト胎盤脂質、ホホバ油、亜麻仁油、マカデミアナッツ油、メドウフォーム種子油、メンハーデン油、ミンク油、ワサビノキ油、モルティエラ油、牛脚油、オリーブ油、オンゴキア油、オレンジラフィー油、パーム核油、落花生油、リン脂質、ピスタチオナッツ油、ケシ油、菜種油、米ぬか油、ローズヒップ油、サフラワー油、ハイブリッドサフラワー油、ゴマ油、サメ肝油、大豆油、ヒマワリ油、ハイブリッドヒマワリ油、スイートアーモンド油、トール油、トリグリセリド（Ｃ１２−１８トリグリセリド酸、カプリル酸／カプリン酸／ラウリン酸トリグリセリド、カプリル酸／カプリン酸／リノール酸トリグリセリド、カプリル酸／カプリン酸／ステアリン酸トリグリセリド、ラウリン酸／パルミチン酸／オレイン酸トリグリセリド、オレイン酸／リノール酸トリグリセリド）、桐油、植物油、ベロニア油、クルミ油、コムギ胚芽油、カカオバター、酪農バター、イリッペ脂、ラノリン（羊毛脂）、ラノリン誘導体、ラード、乳脂肪、シアバター、獣脂、シロヤマモモ蝋、蜜蝋、カンデリラ蝋、カルナバ蝋、ホホバ蝋、木蝋、ラノリン蝋、ミンク蝋、米ぬか蝋、シェラック蝋、穀物外殻蝋、トリベヘニン、トリカプリン、トリカプリリン、トリヘプタノイン、トリヒドロキシメトキシステアリン、トリヒドロキシステアリン、トリイソナナノイン、トリイソステアリン、トリラウリン、トリリノレイン、トリリノレイン、トリミリストリン、トリオクタノイン、トリオレイン、トリセバチン、トリステアリン、及びトリウンデカノインを含む。
【００５０】
本発明における局所適用剤として、又はその一部としての使用に適した合成脂肪、合成油脂、及び合成蝋は、これらに限定されるものではないが、Ｃ１０−５０アルキルジメチコン蝋、セレシン蝋、セチルエステル、エポキシ化大豆油、水添ひまし油、ラウリン酸水添ひまし油、水添ココナツ油、水添綿実油、水添Ｃ１２−１８トリグリセリド、水添魚油、水添ラード、水添メンハーデン油、水添ミンク油、水添オレンジラフィー油、水添パーム核油、水添パーム油、水添落花生油、水添サメ肝油、水添大豆油、水添獣脂、水添植物油、マレイン酸化大豆油、ミクロクリスタリンワックス、ミネラルゼリー、鉱物油、地蝋、パラフィン蝋、ＰＥＧ−６蜜蝋、ＰＥＧ−８蜜蝋、ペトロラタム、ＰＥＧ−５ひまし油、ＰＥＧ−２５ひまし油、ＰＥＧ−４０ひまし油、ＰＥＧ−１６水添ひまし油、ＰＥＧ−４０水添ひまし油、ＰＰＧ−３水添ひまし油、合成蜜蝋、合成カンデリラ蝋、合成カルナバ蝋、合成木蝋、合成ホホバ蝋、及び合成蝋を含む。
【００５１】
本発明における局所適用剤として、又はその一部としての使用に適した脂肪酸は、これらに限定されるものではないが、アラキジン酸、アラキドン酸、ベヘン酸、ベヘノイルステアリン酸、カプリン酸、カプロン酸、カプリル酸、ココナツ脂肪酸、コーン脂肪酸、綿実脂肪酸、水添ココナツ脂肪酸、水添メンハーデン脂肪酸、水添獣脂酸、ヒドロキシステアリン酸、イソステアリン酸、ラウリン酸、リノール酸、亜麻仁脂肪酸、ミリスチン酸、オレイン酸、パルミチン酸、パーム核脂肪酸、ペラルゴン酸、リシノール酸、大豆脂肪酸、ステアリン酸、トール油酸、獣脂酸、ウンデカノイン酸、ウンデシレン酸、及びコムギ胚芽脂肪酸を含む。
【００５２】
本発明における局所適用剤の一部としての使用に適した脂肪酸エステルは、限定されないが、Ｃ１２−１５安息香酸アルキル、Ｃ１２−１５オクタン酸アルキル、ベヘン酸ベヘニル、安息香酸ベヘニル、イソステアリン酸ベヘニル、イソステアリン酸カプリル、安息香酸ひまし油、酢酸セチル、乳酸セチル、オクタン酸セチル、パルミチン酸セチル、リシノール酸セチル、安息香酸リシノール酸セチル、オレイン酸デシル、ジ−Ｃ１２−１５フマル酸アルキル、フマル酸ジベヘニル、セバシン酸ジエチル、アジピン酸ジエチルヘキシル、マレイン酸ジエチルヘキシル、アジピン酸ジイソセチル、アジピン酸ジプロピル、安息香酸ジプロピレングリコール、マレイン酸ジイソステアリル、アジピン酸ジイソプロピル、ジリノール酸ジイソプロピルダイマー、セバシン酸ジイソプロピル、イソステアリン酸ジメチルラウラミン、マレイン酸ジイソステアリル、マレイン酸ジカプリル、フマル酸ジオクチル、パルミチン酸エチルヘキシル、ペラルゴン酸エチルヘキシル、ステアリン酸エチルヘキシル、オクタン酸イソセチル、ステアリン酸イソセチルステアロイル、ネオペンタン酸イソデシル、イソノナン酸イソノニル、ネオペンタン酸イソステアリル、安息香酸イソステアリル、ステアリン酸イソステアリルステアロイル、ラウレス−２アセテート、ラウレス−２エチルヘキサン酸、ラウレス−２安息香酸、ベヘン酸ラウリル、乳酸ラウリル、グルセス−２０安息香酸メチル、リシノール酸メチルアセチル、パルミチン酸メチル、ステアリン酸メチル、乳酸ミリスチル、ミリスチン酸ミリスチル、ステアリン酸ミリスチル、ジカプリン酸ネオペンチル、ミリスチン酸オクチルドデシル、ジオクタン酸／ジイソステアリン酸ネオペンチルグリコール、（ジイソステアリン酸／ジオクタン酸）ネオペンチルグリコール、ベヘン酸オクチルドデシル、安息香酸オクチル、安息香酸オクチルドデシル、エルカ酸オクチルドデシル、ミリスチン酸オクチルドデシル、ネオペンタン酸オクチルドデシル、リシノール酸オクチルドデシル、ステアリン酸オクチルドデシルステアロイル、安息香酸ヒドロキシステアリン酸オクチル、ペラルゴン酸オクチル、エルカ酸オレイル、乳酸オレイル、ＰＰＧ−２イソセテス−２０アセテート、リシノール酸ペンタエリスリチル、テトラ酢酸ペンタエリスリチル、テトライソステアリン酸ペンタエリスリチル、テトララウリン酸ペンタエリスリチル、テトラエチルヘキサン酸ペンタエリスリチル、テトラペラルゴン酸ペンタエリスリチル、テトライソノナン酸ペンタエリスリチル、安息香酸ポロキサマー１０５、ポロキサマー１８２、セテス−３酢酸プロピレングリコール、イソセテス−３酢酸プロピレングリコール、酢酸プロピレングリコールミリスチルエーテル、ジカプリル酸／ジカプリン酸プロピレングリコール、ジペラルゴン酸プロピレングリコール、安息香酸ステアリル、ステアリン酸ステアリル、ステアリン酸ステアリルステアロイル、クエン酸トリカプリル、エルカ酸トリデシル、トリメリト酸トリデシル、トリエチルヘキサン酸、トリメリト酸トリエチルヘキシル、クエン酸トリイソセチル、クエン酸トリオクチルドデシル、クエン酸トリイソプロピル、クエン酸トリイソステアリル、三安息香酸トリメチルエタン、トリメチロルプロパン、クエン酸トリオレイル、ラウリン酸イソプロピル、ミリスチン酸イソプロピル、パルミチン酸イソプロピル、及びパルミチン酸エチルヘキシルを含む。
【００５３】
本発明における局所適用剤として、又はその一部としての使用に適したポリヒドロキシ脂肪酸エステルは、これらに限定されるものではないが、ベヘン酸グリセリル、ラウリン酸グリセリル、モノステアリン酸グリセリル、モノパルミチン酸グリセリル、モノベヘン酸グリセリル、ウンデシレン酸グリセリル、モノステアリン酸スクロース、ジステアリン酸スクロース、モノラウリン酸スクロース、ジラウリン酸スクロース、ベヘン酸ソルビタン、パルミチン酸ソルビタン、ステアリン酸ソルビタン、及びトリステアリン酸ソルビタンを含む。
【００５４】
本発明における局所適用剤の一部としての使用に適したポリヒドロキシ脂肪酸アミドは、これらに限定されるものではないが、ラウリルメチルグルカミド、ラウリルメトキシプロピルグルカミド、ココイルメチルグルカミド、ココイルメトキシプロピルグルカミド、パルミチルメトキシプロピルグルカミド、獣脂メトキシプロピルグルカミド、及び獣脂メチルグルカミドを含む。
【００５５】
本発明における局所適用剤の一部としての使用に適した脂肪アルコールは、これらに限定されるものではないが、ベヘニルアルコール、アルキルアルコールの切片（Ｃ９−１１アルコール、Ｃ１２−１３アルコール、Ｃ１２−１５アルコール、Ｃ１２−１６アルコール、Ｃ１４−１５アルコール、及びその配合体など）、カプリルアルコール、セテアリルアルコール、セチルアルコール、ココナツアルコール、デシルアルコール、水添獣脂アルコール、ラウリルアルコール、ミリスチルアルコール、オレイルアルコール、パームアルコール、パーム核アルコール、ステアリルアルコール、獣脂アルコール、及びトリデシルアルコールを含む。
【００５６】
本発明における局所適用剤の一部としての使用に適したエトキシル化脂肪アルコールは、これらに限定されるものではないが、セテス−１０、セテアレス−３０、乳化蝋ＮＦ、グリセレス−７、グリセレス−２６、ラウレス−２、ラウレス−３、ラウレス−９、ラウレス−２３、オレス−３、オレス−５、ステアレス−２、及びステアレス−１０、ステアレス−２０を含む。
【００５７】
本発明における局所適用剤として、又はその一部としての使用に適した精油は、これらに限定されるものではないが、アニス油、バームミント油、メボウキ油、モナルダ油、ベルガモット油、バーチ油、苦扁桃油、苦橙油、カレンデュラ油、カリフォルニアナツメグ油、キャラウェイ油、カルダモン油、カモミール油、桂皮油、クラリー油、クローブリーフ油、丁子油、コリアンダー油、イトスギ油、ユーカリ油、フェンネル油、クチナシ油、ゼラニウム油、ショウガ油、グレープフルーツ油、ホップ油、ヒプティス油、イタチハギ油、ジャスミン油、杜松油、キウイ油、ゲッケイジュ油、ラベンダー油、レモングラス油、レモン油、ボダイジュ油、ラベッジ油、ミカン油、ナツシロギク油、ムスクローズ油、ナツメグ油、乳香油、橙花油、橙油、パチョリ油、ペニローヤル油、ハッカ油、松根油、松根タール油、ローズヒップ油、ローズマリー油、バラ油、ヘンルーダ油、セージ油、セイヨウニワトコ油、ビャクダン油、サッサフラス油、エゾマツ油、スペアミント油、スイートマジョラム油、ニオイスミレ油、タール油、ティーツリー油、タイム油、ワイルドミント油、ヤロー油、及びイランイラン油を含む。
【００５８】
本発明における局所適用剤の一部としての使用に適したポリマーは、これらに限定されるものではないが、アクリル酸コポリマー、ポリオレフィン樹脂、ポリオレフィンポリマー、エチレン／酢酸ビニル共重合体、ポリエチレン、ポリジメチルシロキサン（直鎖、分岐鎖、アルキル官能基化、アミン官能基化、オルガノ官能基化、フェニル官能基化、スチリル官能基化）、ポリジメチルシロキサンコポリオール及びポリジメチルシロキサンコポリオールエステル（リン酸ジメチコンコポリオールなど）を含む。
【００５９】
本発明における局所適用剤として、又はその一部としての使用に適した粒子状物質は、これらに限定されるものではないが、コロイド状オートミール、コロイド状シリカ、コーンスターチ、ヘクトライト粘土、カオリン、ケイ酸アルミニウムマグネシウム、モンモリロナイト粘土、二酸化チタン、過酸化チタン、滑石、サリチル酸チタン、及び酸化亜鉛を含む。
【００６０】
本発明における局所適用剤の一部としての使用に適した湿潤剤は、限定はしないが、アセトアミドＭＥＡ、アロエベラ・ゲル、アルギニンＰＣＡ、キトサンＰＣＡ、銅ＰＣＡ、コーングリセリド、ジメチルイミダゾリジノン、エリスロース、エリスリトール、フルクトース、グルカミン、グルコース、グルタミン酸グルコース、グルクロン酸、グルタミン酸、グリセレス−７、グリセレス−１２、グリセレス−２０、グリセレス−２６、グリセリン、ハチミツ、水添ハチミツ、水添でんぷん加水分解物、加水分解コーンスターチ、ガラクトース、ラクトアミドＭＥＡ、乳酸、ラクトースリジン、ＰＣＡ、マリトール、マンニトール、マルトデキストロース、マンノース、メチルグルセス−１０、メチルグルセス−２０、ＰＥＧ−２ラクトアミド、ＰＥＧ−１０プロピレングリコール、ポリアミノ糖凝縮物、カリウムＰＣＡ、プロポキシル化グリセリン、プロピレングリコール、クエン酸プロピレングリコール、ラフトノース、レアルロース、加水分解糖類、混合異性化糖、アスパラギン酸ナトリウム、乳酸ナトリウム、ナトリウムＰＣＡ、ソルビタン、ソルビトール、スクロース、ＴＥＡ−乳酸、ＴＥＡ−ＰＣＡ、尿素、キシロース及びキシリトールを含む。
【００６１】
本発明における局所適用剤の一部としての使用に適したステロール及びステロール誘導体は、これらに限定されるものではないが、１７位に尾を有する極性基を持たないベータ・ステロール（限定されないが、コレステロール、シトステロール、スティグマステロール、エルゴステロールを含む）及び、Ｃ１０−３０コレステロール／ラノステロールエステル、コレカルシフェロール、ヒドロキシステアリン酸コレステリル、イソステアリン酸コレステリル、ステアリン酸コレステリル、７−デヒドロコレステロール、ジヒドロコレステロール、オクチルデカン酸ジヒドロコレステロール、ジヒドロラノステロール、オクチルデカン酸ジヒドロラノステリル、エルゴカルシフェロール、トール油ステロール、大豆酢酸ステロール、ラノステロール、大豆ステロール、アボカドステロール、アボコジン、及びステロールエステルを含む。
【００６２】
本発明の所望の実施形態は、ペトロラタム基剤である局所適用剤を含むことになる。本発明の１つの実施形態においては、局所適用剤は、ペトロラタムと、地蝋と、エチレン／酢酸ビニル共重合体との配合物又は組み合わせから構成することができる。複合材料の第２の所望の実施形態においては、局所適用剤は、ペトロラタムと、地蝋と、ヒマワリ種子油と、大豆ステロールと、エチレン／酢酸ビニル共重合体と、ジメチコンと、アルキルジメチコン蝋との配合物又は組み合わせから構成することができる。本発明のさらに別の所望の実施形態においては、局所適用剤は、ペトロラタムと、地蝋と、ヒマワリ種子油と、大豆ステロールと、エチレン又は酢酸ビニル共重合体と、ジメチコンと、アルキルジメチコン蝋と、コロイド状シリカと、モンモリロナイト粘土との配合物又は組み合わせから構成することができる。
【００６３】
上記に加えて、境界層１８及び局所適用剤２４は、相手に対する親和性が低く、それにより境界層から局所適用剤を分離するのに要する移転力が境界層から境界層の支持体を分離するのに要する移転力より小さくなるような組成物又は複合材であることが望ましい。境界層１８と局所適用剤２４の間の親和性が低いということは、境界層１８と局所適用剤２４の間で働く凝集力が低く、おむつ又はパーソナルケア吸収製品が通常の着用中に受ける力のような最小の力で局所適用剤２４と境界層が分離することを意味する。ある種の局所適用剤がこの複合材料に使用するのに望ましいが、所望の結果を達成するためには、適切な（即ち局所適用剤に対して低い親和性を有する）境界層が利用可能であるか、又は別の局所適用剤が選択されなければならない。換言すれば、局所適用剤の所望の移転と、所望の皮膚健康又は皮膚良好性の利益を達成するために、本発明に使用するために選択される局所適用剤は、その皮膚健康特性だけでなく、境界層を構成する１つ又はそれ以上の化合物に対する親和性も考慮して選択されねばならない。
【００６４】
本発明の別の所望の実施形態は、少なくとも約２５℃の温度に曝されたときに液化又は融解が始まる成分をもつ境界層を含む。移転力のみで（即ち境界層をある範囲の温度に曝すことなく）境界層１８の全体又は一部から局所適用剤２４を分離することは可能であるが、境界層の液化により、局所適用剤と境界層の間の凝集力が、境界層からの適用剤の分離を達成するのに最小の移転力が及ぼされることのみを必要とするレベルまで弱められるので、局所適用剤をより容易に皮膚に移転させることが可能になる。換言すれば、ある温度又は温度範囲に曝された時に局所適用剤又は境界層の別の層に対するその化合物の親和性が弱まるような境界層の使用により、所望の分離を達成するのに必要な移転力を低減することができると同時に、分離を起こすのに（加熱されない状態では）より高い移転力を必要とするため他の場合では所望とならないような化合物を、境界層及び／又は局所適用剤に使用できるようになることが認識されている。上記のように、境界層は、少なくとも約２５℃から約４５℃までの範囲内の温度で融解又は液化し始めることが望ましい。境界層は、少なくとも約２５℃から約４０℃までの範囲内の温度で融解又は液化し始めることがより望ましく、少なくとも約２５℃から約３７℃までの範囲内の温度で融解又は液化し始めることが最も望ましい。境界層は完全に融解又は液化させる必要はない。境界層は、局所適用剤を境界層から分離するのに要する移転力が所望のレベルまで低減されるような程度まで液化又は融解されればよい。局所適用剤を境界層及び／又は支持体から分離するのに要する移転力は、通常の着用状態の間に、より具体的にはおむつの通常の着用状態の間に生じるか又は達成されることが望ましい。この説明の力点は主におむつに焦点が当てられているが、局所適用剤及び境界層は、他のパーソナルケア製品の通常の着用状態でも十分に使用者の皮膚への局所適用剤の移転が促進されるように選択することができることは理解されるであろう。
【００６５】
境界層からの局所適用剤の分離について記載しているが、別の指示がない限り、境界層の化合物は通常、皮膚に移転する際に局所適用剤の皮膚健康又は皮膚の良好性に関する特性又は利益に顕著な影響を及ぼさないので、境界層から局所適用剤を完全に分離する必要はないことを理解されたい。更に、支持体からの局所適用剤の分離についての記載は、局所適用剤が支持体に直接接触することを示唆するように意図されるものではなく、むしろ局所適用剤は境界層の全体又は一部から分離されており、それ故に支持体からも分離されていることを示唆するように意図されている。
【００６６】
更に、上記に示唆されかつ図６に示されるように、局所適用剤の移転効率を高めるように設計された更に別の実施形態においては、境界層は、互いに対して低い親和性を有する２つ以上の化合物の層を含んでいても良く、それにより、局所適用剤及び境界層１８の第２層６８の全部又は一部が、局所適用剤／境界層の界面５０で分離されるのではなく、支持体及び境界層１８の第１層６６の全体又は一部から分離される。境界層／境界層の分離が生じ得ることにより、移転効率を高めるという本発明の目的に照らして、他の場合には局所適用剤と共に使用することが不適切となる（即ち親和性が高いことが原因である）ような化合物を、境界層に使用できるようになる。つまり、例えば、境界層１８の第１層６６の化合物は、局所適用剤２４に対しては強い親和性をもつことができ、一方、該境界層１８の第１層６６を局所適用剤２４から隔離する境界層１８の第２層６８に対しては低い親和性か又は相対的に低い親和性をもつことができ、それにより局所適用剤の分離及び移転を引き起こすのに要する移転力が低減し、かつ他の場合には使用が望ましくないような境界層の第１層６６の化合物を使用できるようになる。
【００６７】
移転効率を更に高めるために、種々のパターンで境界層１８を支持体に付加し、局所適用剤を境界層１８の第２層６８に付加することができる。最大限の移転効率を達成するために、支持体１２の第１表面１４の全体を境界層で覆うか、又は境界層１８の第２表面２２の全体を局所適用剤で覆う必要はない。図面では、局所適用剤はおむつの機械縦方向に連続的に又はほぼ連続的に付加されるように示されているが、局所適用剤は、所望の移転を容易にするのに充分な量の境界層に該局所適用剤が付加されている限り、これらに限定する意味ではないが、機械縦方向、横方向又は対角線方向に連続的な線又は断続的な線、正弦波又は分離した点等々を含む、いかなる連続的又は断続的なパターンでも付加されることが理解され予想される。
【００６８】
本発明はまた、複合材料が、境界層が付加された支持体と、境界層に付加された局所適用剤とを含み、該局所適用剤は、二次的表面に対して優先的な親和性を有し、この二次的表面は該複合材料がパーソナルケア製品であるか又はその一部である場合に望ましくは着用者の皮膚であるという本発明の複合材料の実施形態をも考慮している。この実施形態においては、本発明の他の実施形態に関連して上述されるような熱又は動きの作用を受けることとは対照的に、局所適用剤は、二次的表面に対する該局所適用剤の優先的な親和性によって、支持体及び／又は境界層から分離する。二次的表面に対する局所適用剤の優先的な親和性によって生じる分離は、複合材料に境界層を含めることによって可能となる又は更に増強されるのに対し、局所適用剤が直接支持体に付加された場合には、局所適用剤の優先的な親和性は、局所適用剤の所望の分離又は移転を達成するのに不十分な場合もある。
【００６９】
本発明は、局所適用剤を支持体から表面に移転させることなどに使用されるようになった複合材料を形成する方法にも向けられている。この方法は、支持体を準備すること、支持体に境界層を付加すること、境界層に局所適用剤を付加すること、及び、境界層を、支持体からの局所適用剤の分離を容易にし、かつ表面への局所適用剤の移転を促進する少なくとも１つの状態にさらすことを含む。本発明の１つの実施形態においては、局所適用剤の組成物は、通常の接触、着用者の動き、又は着用者の体温によって着用者の皮膚に移転できることが望ましい。
【００７０】
この方法の１つの実施形態は、低い移転力の使用のみによって、支持体から着用者の皮膚への局所適用剤の効果的な移転を提供する。この方法は、支持体を用意すること、支持体に境界層を付加すること、境界層に局所適用剤を付加すること、及び、境界層を支持体又は境界層から局所適用剤が分離するのに充分な移転力にさらし、局所適用剤を該局所適用剤に隣接する皮膚へ移転させることを含む。境界層の組成物によって、局所適用剤の所望の移転を可能にするのに充分な所望の移転力は小さくなり、この移転力は、複合材料を組み込んだ製品を着用する人の動き（即ちおむつの中での使用者の動き）によって生じ得る。
【００７１】
以下の例は、本発明のより詳細な理解を供するために提示される。具体的な材料及びパラメータは例示的なものであり、本発明の範囲を特に限定することを意図されてはいない。
【００７２】
実施例
インク摩擦試験機（ニューヨーク州アイランディア所在のテスティング・マシンズ・インク（ＴＭＩ）社から入手可能であるモデル＃１０−１０−０１）は、ライナから乳児の皮膚への軟膏の移転量を重量測定法によって評価する、迅速且つ信頼性のある手段として使用される装置である。一般的に、この装置は、加工済ライナ材料で覆った安定なベースに対して、レセプタ材料で覆われたブロックを摩擦することによって機能する。摩擦の動作は、おむつの内側ライナに対する乳児の皮膚の動きを模倣することを意図されている。
【００７３】
下記の各実施例において、インク摩擦試験機（ＩＲＴ）は、以下の例外を除き、ＴＭＩがＩＲＴに添付した取扱説明書の指示の通りに使用された。使用したレセプタ材料７０は、テストファブリックス・インク社製のＴｙｐｉｃａｌｌｙ　Ｎａｔｕｒａｌ　Ｓｉｌｋ　Ｎｏｉｌ（スタイル＃６５１）であり、２インチ×６インチのサンプル寸法に切断された。この実施例に使用したベース材料は、４本の中央寄せした軟膏ストライプ（幅１／４インチで１／４インチ間隔）を用いて加工したスパンボンド・ライナであった。ベース材料は、ほぼ３インチ×９インチの寸法にされたが、２．５インチ×６インチのゴムパッドを覆ってさえいればベース材料の長さはさほど重要ではなかった。しかしながら、スロットコーティングされた軟膏の線は長さ方向に位置合わせされ、可能な限り中央寄せされた（図７参照）。軟膏又は移転層の付加に先立って、スパンボンド・ライナに前処理剤すなわち境界層が付加される場合には、通常は、軟膏の付加量の１／１０と等量の前処理剤が、軟膏のストライプと同じか又は僅かに広い幅をもつストライプの形で付加された。この実験は、乳児が座っているか又は動いている間におむつに加えるであろう圧力をより正確に模倣することを意図するので、実験の間の使用のために重さ４ポンドのＩＲＴブロックが選択された。
【００７４】
レセプタ材料７０をＩＲＴに設置するのに先立ち、レセプタ絹材料７０を計量し、最初の質量を記録した。材料が全て確実に計量プレート上に載るように、材料を三つ折りに畳んだ。また、垂れ下がった糸は装置の操作の間に抜け落ちて後の計算に影響する可能性があることから、そうした糸が存在しないように注意が払われた。加えて、材料に皮膚の油脂分が移ることを防ぎ、質量変化の誤計算の発生を回避するために、検査手袋を常に着用した。
【００７５】
次に各材料をＩＲＴに固定した。レセプタ材料７０を計量済ブロック７４全体に広げ、４つの磁石７６を用いて、ブロックの両端に２つの磁石が均等に配置されるようにブロックに張りつけた。レセプタ材料７０の全体に亘って均一な張力が求められ、材料はブロック７４と布７０の間に隙間がないように緊密に張られた。しかしながら、材料に異常な引っ張りはかけられなかった。ベース材料７８即ちライナをゴムパッド８０の中央に置いた。図８に見られるように、布がそれ以上動くことを防ぐために、布を広げてクリップ８２を両端に取り付けることにより、ライナの全てのしわを除去する努力がなされた。ＩＲＴは、１分間に１００サイクルの速度で、５０回反復するように設定された。準備された材料がＩＲＴに固定されると、装置が起動され、反復が許された。選択された回数の周期が完了するとライナは取り外されて廃棄されたが、レセプタ材料７０の方は取り外されて再び三つ折りに畳まれ、重量が記録された。重量の変化は、レセプタ材料７０の最初の重量と最後の重量の差異として定義され、移転した材料の量を表すものである。移転した材料の統計的に有意な平均量を得るために、通常は、手順は１０回繰り返されるが、幾つかの実施例においては、手順は６回だけ繰り返された。
【００７６】
実施例１
実施例１においては、ベース材料（ライナ）に、境界層も移転層も付加されなかったことを除き、上記の手順が用いられた。実施例１は、対照、即ち加工されていない不織ライナとして機能することを意図されるものであった。この実施例の結果は表１に見られ、摩擦によりレセプタ材料の損失がもたらされたことを示している。これらの結果は、おむつがライナの表面に付加された軟膏、ローション等々を含まない事例において、おむつ着用の間に乳児の皮膚が受ける摩擦により、乳児の皮膚への擦過傷又は質量減少がもたらされることを示唆する。
【００７７】
【表１】
表１
2004508142.tif 000003
【００７８】
実施例２
実施例１に記載されたものと同じ一般的特性をもつレセプタ材料及びベース材料を試験した。この材料は、軟膏の形態の移転層が前述の手法でベース材料に付加された点を除き、実施例１とほぼ同一のものである。この実施例においては、使用された軟膏は通常、ペトロラタム、潤滑剤、蝋、油脂、市販の混合脂質、及び随意的に増粘剤を含み、ライナに境界層は付加されなかった。１平方インチ当たり約３．６７ミリグラム（ｍｇ）の量の軟膏か、又はライナ材料の６８平方インチ（即ち４インチ×１７インチ）当たり約０．２５グラムのローションが、ベース材料に付加された。その結果を以下の表２に示す。
【００７９】
【表２】
表２
2004508142.tif 000004
【００８０】
実施例３
実施例１に記載されたものと同じ一般的特性をもつレセプタ材料及びベース材料を試験した。この材料は、軟膏の形態の移転層が前述の手法でベース材料に付加された点を除き、実施例１とほぼ同一のものである。この実施例においては、実施例２と同一の軟膏が使用され、スパンボンド・ライナ材料（ベース材料）は、Ａｈｃｏｖｅｌが３に対してＧｌｕｃｏｐｏｎが１であるＡｈｃｏｖｅｌとＧｌｕｃｏｐｏｎとの配合物を、ライナ材料の重量に対して重量比約０．３５％（即ちライナ材料の１平方インチ当たり０．００７６ｍｇ）の量で用いて前処理された。ライナ材料の１平方インチ当たり約３．６７ミリグラムの量の軟膏か、又はライナ材料の６８平方インチ当たり約０．２５グラムのローションが、ベース材料に付加された。その結果を以下の表３に示す。
【００８１】
【表３】
表３
2004508142.tif 000005
【００８２】
実施例４
実施例１に記載されたものと同じ一般的特性をもつレセプタ材料及びベース材料を試験した。この材料は、ベース材料に付加された境界層に軟膏の形態の移転層が前述の手法で付加される点を除いては、実施例１とほぼ同一のものであった。この実施例においては、用いられた軟膏は、実施例２及び３で用いられたのと同様のものであり、該軟膏は、セチオール１４１４Ｅの境界層上にスロット・コーティングされた。セチオールは、１平方インチ当たり約０．３６ミリグラム、すなわちライナ材料の６８平方インチ当たり約０．０２５グラムのセチオール１４１４Ｅの量で、ベース材料に付加された。軟膏の層は、１平方インチ当たり約３．６７ミリグラム、すなわちライナ材料の６８平方インチ当たり約０．２５グラムのローションの量で、セチオールの層に付加された。その結果を以下の表４に示す。
【００８３】
【表４】
表４
2004508142.tif 000006
【００８４】
実施例５
実施例１に記載されたものと同じ一般的特性をもつレセプタ材料及びベース材料を試験した。この材料は、ベース材料に付加された境界層に軟膏の形態の移転層が前述の手法で付加された点を除いては、実施例１とほぼ同一のものであった。この実施例においては、用いられた軟膏は、Ｔｗｅｅｎ　２０（デラウェア州ニューカッスル所在のユニケマ社から入手可能）とＴｗｅｅｎ　４０（デラウェア州ニューカッスル所在のユニケマ社から入手可能）との１：１の比率の混合物からなるものであった。Ｔｗｅｅｎ　２０とＴｗｅｅｎ　４０の層は、境界層として働くライナ材料の上面に、１平方インチ当たり約０．３６ミリグラム、すなわちライナ材料の６８平方インチ当たり約０．０２５グラムの量で付加される。軟膏の層は、１平方インチ当たり約３．６７ミリグラム、すなわちライナ材料の６８平方インチ当たり約０．２５グラムのローションの量で、Ｔｗｅｅｎ　２０／Ｔｗｅｅｎ　４０の層に付加された。その結果を以下の表５に示す。
【００８５】
【表５】
表５
2004508142.tif 000007
【００８６】
実施例６
実施例１に記載されたものと同一の一般的特性をもつレセプタ材料及びベース材料を試験した。この実施例においては、用いられた境界層は、実施例５において用いられたもの（Ｔｗｅｅｎ　２０とＴｗｅｅｎ　４０との混合物からなる）と同一であったが、実施例５と異なり、境界層に軟膏は付加されなかった。Ｔｗｅｅｎ　２０及びＴｗｅｅｎ　４０の層は、１平方インチ当たり約０．３６ミリグラムの量、すなわちベースライナ材料の６８平方インチ当たり約０．０２５グラムのＴｗｅｅｎ２０／Ｔｗｅｅｎ　４０の量で、ベース材料に付加された。その結果を以下の表６に示す。
【００８７】
【表６】
表６
2004508142.tif 000008
【００８８】
実施例７
実施例１に記載されたものと同じ一般的特性をもつレセプタ材料及びベース材料を試験した。この材料は、セチオールが前述の手法でベース材料に付加された点を除き、実施例１とほぼ同一のものであった。セチオール１４１４Ｅの層は、１平方インチ当たり約０．３６ミリグラム、すなわちベースライナ材料の６８平方インチ当たり約０．０２５グラムのセチオールの量で、ベース材料に付加された。その結果を以下の表７に示す。
【００８９】
【表７】
表７
2004508142.tif 000009
【００９０】
実施例８
実施例１に記載されたものと同じ一般的特性をもつレセプタ材料及びベース材料を試験した。この材料は、ベース材料に予め付加されたセチオール１４１４Ｅの境界層に軟膏の形態の移転層が付加された点を除いては、実施例１とほぼ同一のものであった。この実施例においては、軟膏はペトロラタムから構成された。ペトロラタムは、実施例６と類似した、セチオールで前処理されたスパンボンド・ライナに付加された。この実施例においては、ペトロラタムはその都度、インクジェット印刷によってライナに付加された。この実施例は、セチオールの付加レベルを次第に増大させながら、４回繰り返された。１回目はセチオール付加量０ｗｔ％の状態のスパンボンド・ライナを含み、２回目はベースライナ材料の重量に対しセチオール１ｗｔ％（即ちベースライナ材料の１平方インチ当たり０．２２ｍｇ）であり、３回目はセチオール付加量２％（即ちベースライナ材料の１平方インチ当たり０．４４ｍｇ）であり、４回目はセチオール付加量３％（即ちベースライナ材料の１平方インチ当たり０．６５ｍｇ）であった。ペトロラタムの層は、１平方インチ当たり約３．６７ミリグラム、すなわちベースライナ材料の６８平方インチ当たり約０．２５グラムのペトロラタムの量で、ベース材料に付加された。その結果を以下の表８に示す。
【００９１】
【表８】
表８
2004508142.tif 000010
【００９２】
実施例８の結果を表９に更に示す。
【表９】
2004508142.tif 000011
【００９３】
本発明をある種の所望の実施形態に関連して説明してきたが、本発明に包含される内容は、こうした特定の実施形態に限定されるものではないことを理解されたい。本発明の内容は寧ろ、特許請求範囲の請求項の精神及び範囲に含まれうる全ての変形、修正、及び均等物を含むことを意図されている。
【図面の簡単な説明】
【図１】
本発明に係る複合材料の一実施形態の平面図である。
【図２】
図１に示された複合材料を線２−２に沿って見た断面図である。
【図３】
本発明の一実施形態に係る吸収性物品を代表して示す、部分的に切り取られた平面図である。
【図４】
図３の吸収性物品を線４−４に沿って見た、代表して示す断面図である。
【図５】
本発明の別の実施形態に係る複合材料の代表して示す断面図である。
【図６】
本発明の別の実施形態に係る複合材料の代表して示す断面図であり、境界層が２層から構成されるように示されている。
【図７】
長さ方向に位置合わせされ、実施例に用いられたベース材料上で出来る限り中央に位置決めされるスロットコーティングされた軟膏の線の配向を示す図である。
【図８】
実施例に使用されたＩｎｋ　Ｒｕｂ　Ｔｅｓｔｅｒの設定を概略的に示す図である。
【国際公開パンフレット】
2004508142.tif 000012
2004508142.tif 000013
2004508142.tif 000014
2004508142.tif 000015
2004508142.tif 000016
2004508142.tif 000017
2004508142.tif 000018
2004508142.tif 000019
2004508142.tif 000020
2004508142.tif 000021
2004508142.tif 000022
2004508142.tif 000023
2004508142.tif 000024
2004508142.tif 000025
2004508142.tif 000026
2004508142.tif 000027
2004508142.tif 000028
2004508142.tif 000029
2004508142.tif 000030
2004508142.tif 000031
2004508142.tif 000032
2004508142.tif 000033
2004508142.tif 000034
2004508142.tif 000035
2004508142.tif 000036
2004508142.tif 000037
2004508142.tif 000038
2004508142.tif 000039
2004508142.tif 000040
2004508142.tif 000041
2004508142.tif 000042
2004508142.tif 000043
2004508142.tif 000044
2004508142.tif 000045
2004508142.tif 000046
2004508142.tif 000047
2004508142.tif 000048
2004508142.tif 000049
2004508142.tif 000050
2004508142.tif 000051
2004508142.tif 000052
2004508142.tif 000053
2004508142.tif 000054
2004508142.tif 000055
2004508142.tif 000056
【国際公開パンフレット（コレクトバージョン）】
2004508142.tif 000057
2004508142.tif 000058
【国際調査報告】
2004508142.tif 000059
2004508142.tif 000060
2004508142.tif 000061
2004508142.tif 000062